(57)【要約】      （修正有）【課題】照明装置の明るさを適宜調節することを可能にする照明装置用のダミー口金を提供する。【解決手段】照明装置は、光源２０が着脱可能な２つのソケット１１と、ソケット１１に設けられた出力端子１１Ａ、１１Ｂと、出力端子１１Ａ、１１Ｂに対しそれぞれ個別に電気的に接続する本体回路とを有する。２つのソケット１１に、それぞれ光源２０を装着することにより、本体回路は、光源回路と電気的に接続し、直列回路を構成する。ダミー口金３０は、対となる短絡端子３１Ａ，３１Ｂと、短絡端子３１Ａ，３１Ｂ同士を短絡する短絡回路３２と、短絡回路３２を収容する本体３３とを有し、光源を間引きした際、複数のソケットの出力端子対の直列接続を維持する。【選択図】図３
0003175908.tif 000002
【実用新案登録請求の範囲】
【請求項１】
照明装置用のダミー口金であって、
前記照明装置は、
光源が着脱自在な複数のソケットと、
前記ソケットに装着された光源に対し電気的に接続可能な出力端子対と、
前記装着された光源によって前記複数の出力端子対を直列接続するとともに、複数の前記装着された光源まとめて電力を供給する本体回路と、を備え、
前記ダミー口金は、
間引き対象となる前記光源の代わりに前記ソケットへ装着される口金本体と、
前記口金本体に設けられ前記出力端子対を短絡する短絡回路と、を備え、
前記光源を間引きした際、前記複数のソケットの出力端子対の直列接続を維持することを特徴とする、照明装置用のダミー口金。
【請求項２】
前記ソケットには前記光源が着脱自在に装着される装着凹部が形成され、
前記口金本体は前記装着凹部に嵌合可能であることを特徴とする請求項１記載の照明装置用のダミー口金。
【請求項３】
前記光源からの光を反射する反射板を備えることを特徴とする請求項１または２記載の照明装置用のダミー口金。
【請求項４】
前記短絡回路は前記出力電子対と電気的に接続する第１〜２短絡端子を有し、
前記第１〜２短絡端子は互いに平行に延びることを特徴とする請求項１ないし３のうちいずれか１項記載の照明装置用のダミー口金。
【請求項５】
前記口金本体は線状に形成され、
前記短絡回路は前記出力電子対と電気的に接続する第１〜２短絡端子を有し、
前記第１短絡端子は自身の一端に、前記第２短絡端子は自身の他端に設けられることを特徴とする請求項１ないし３のうちいずれか１項記載の照明装置用のダミー口金。
【考案の詳細な説明】
【技術分野】
【０００１】
本考案は、照明装置用のダミー口金に関する。
【背景技術】
【０００２】
蛍光灯などの光源を着脱可能な照明装置が知られている（例えば、特許文献１）。この照明装置は、光源が装着される複数のソケットと、ソケットに設けられる出力端子対と、  出力端子対と電気的に接続する本体回路とを備える。
【先行技術文献】
【特許文献】
【０００３】
【特許文献１】特開２０００−５７８２１号公報
【考案の概要】
【考案が解決しようとする課題】
【０００４】
しかしながら、このような照明装置において、複数のソケットのうちいずれかが空の状態の場合、他のソケットに装着された光源に給電されないという問題がある。したがって、複数のソケットを有する照明装置が発揮できる明るさは、照明装置に設けられたソケットの数だけの光源が点灯するＯＮ状態と、全ての光源が消灯するＯＦＦ状態との間でしか切り替えを行うことができない。その結果、ユーザは、ＯＮ状態のうち明るさの異なる段階ごとに切り替えることができない。この問題の本質は、照明装置に内蔵される本体回路の問題ではあるが、建屋に備え付けられた照明装置の場合等、ユーザの意思で自由に照明装置を取り換えることができない場合も多い。
【０００５】
本考案は、斯かる実情に鑑み、照明装置用のダミー口金を提供しようとするものである。
【課題を解決するための手段】
【０００６】
本考案は、照明装置用のダミー口金であって、前記照明装置は、光源が着脱自在な複数のソケットと、前記ソケットに装着された光源に対し電気的に接続可能な出力端子対と、前記装着された光源によって前記複数の出力端子対を直列接続するとともに、複数の前記装着された光源まとめて電力を供給する本体回路と、を備え、前記ダミー口金は、間引き対象となる前記光源の代わりに前記ソケットへ装着される口金本体と、前記口金本体に設けられ前記出力端子対を短絡する短絡回路と、を備え、前記光源を間引きした際、前記複数のソケットの出力端子対の直列接続を維持することを特徴とする。
【０００７】
前記ソケットには前記光源が着脱自在に装着される装着凹部が形成され、前記口金本体は前記装着凹部に嵌合可能であることが好ましい。また、前記光源からの光を反射する反射板を備えることが好ましい。
【０００８】
前記短絡回路は前記出力電子対と電気的に接続する第１〜２短絡端子を有し、前記第１〜２短絡端子は互いに平行に延びることが好ましい。また、前記口金本体は線状に形成され、前記短絡回路は前記出力電子対と電気的に接続する第１〜２短絡端子を有し、前記第１短絡端子は自身の一端に、前記第２短絡端子は自身の他端に設けられることが好ましい。
【考案の効果】
【０００９】
本考案によれば、照明装置に設けられたソケットの数に制約されずに、明るさを適宜調節することが可能となる。
【図面の簡単な説明】
【００１０】
【図１】照明装置の概要を示す平面図である。
【図２】照明装置の電気回路図である。
【図３】照明装置に着脱自在に装着される第１のダミー口金の概要を示す平面図である。
【図４】照明装置に着脱自在に装着される第２のダミー口金の概要を示す平面図である。
【図５】照明装置に着脱自在に装着される第３のダミー口金の概要を示す平面図である。
【図６】照明装置に着脱自在に装着される第４のダミー口金の概要を示す平面図である。
【図７】第３のダミー口金に設けられた反射板及び光源の端面及び、周辺部品の概要を示すVII-VII線端面図である。
【考案を実施するための形態】
【００１１】
以下、添付図面を参照して本考案の実施の形態を説明する。
【００１２】
図１に示すように、照明装置１０は、ソケット１１に装着された光源２０へ電力を入力するためのものであり、外部電源から受電するための電源コード１２と、電源コード１２と電気的に接続する本体回路１３（図２参照）と、本体回路１３を内蔵する筐体１４と、筐体１４に設けられ光源２０の着脱自在を可能にする２つのソケット１１と、を備える。
なお、照明装置１０におけるソケット１１の数は、複数であればよい。したがって、照明装置１０は、３つ以上のソケット１１を備えていてもよい。
【００１３】
図２に示すように、電源コード１２は、外部電源からの電力を入力するための入力端子１２Ａ、１２Ｂを有する。
【００１４】
ソケット１１は、光源２０が着脱自在に装着される装着凹部１１Ｘと、装着凹部１１Ｘに装着された光源２０へ電力を出力するための出力端子１１Ａ、１１Ｂと、を有する。装着凹部１１Ｘには、出力端子１１Ａ、１１Ｂが露出する。
【００１５】
本体回路１３は、第１出力端子１３ＸＡ及び第２出力端子１３ＸＢを有するインバータ１３Ｘと、電源コード１２とインバータ１３Ｘとを電気的に接続する１次側回路１３Ａと、インバータ１３Ｘと各ソケット１１とを電気的に接続する２次側回路１３Ｂと、を備える。２次側回路１３Ｂは、第１出力端子１３ＸＡと第１ソケット１１の出力端子１１Ａとを電気的に接続する回路１３ＢＡと、第１ソケット１１の入力端子１１Ｂと第２ソケット１１の出力端子１１Ａとを電気的に接続する回路１３ＢＢと、第２ソケット１１の入力端子１１Ｂとインバータ１３Ｘの第１出力端子１３ＸＢとを電気的に接続する回路１３ＢＣと、を有する。
【００１６】
光源２０は、対となる光源入力端子２１Ａ，２１Ｂと、光源素子２２と、対となる光源入力端子２１Ａ、２１Ｂ及び光源素子２２を電気的に接続する光源回路２３とを有する。光源素子２２としては、ＬＥＤやフィラメントなどがある。
【００１７】
光源２０が装着凹部１１Ｘに装着されると、光源入力端子２１Ａは出力端子１１Ａに、光源入力端子２１Ｂは出力端子１１Ｂに、それぞれ電気的に接続する。こうして、照明装置１０に設けられたソケット１１全てに、光源２０が装着されると、光源入力端子２１Ａ，２１Ｂ、光源素子２２及び光源回路２３から構成される光源回路と、２次側回路１３Ｂと、によって直列回路が構成される。この結果、照明装置１０では、２つの光源２０が点灯することとなる。
【００１８】
図３に示すように、ダミー口金３０は、対となる短絡端子３１Ａ，３１Ｂと、短絡端子３１Ａ，３１Ｂ同士を短絡する短絡回路３２と、短絡回路３２を収容する本体３３とを有する。短絡端子３１Ａ、３１Ｂは、本体３３から露出するように設けられる。本体３３は、装着凹部１１Ｘへ装着可能な寸法に形成される。本体３３としては、例えば、装着凹部１１Ｘよりも小さなものでもよいし、装着凹部１１Ｘと嵌合するもの（図４参照）でもよい。
【００１９】
短絡端子３１Ａ、３１Ｂは互いに平行となるよう本体３３から突出するため、短絡端子３１Ａ、３１Ｂ側を装着凹部１１Ｘに向けて、ダミー口金３０をソケット１１へ押し込むことにより、本体３３は装着凹部１１Ｘへ着脱自在に挿入される。この結果、短絡端子３１Ａは出力端子１１Ａに、短絡端子３１Ｂは出力端子１１Ｂに、それぞれ電気的に接続する。
【００２０】
ここで、照明装置１０に設けられた２つのソケット１１において、一方のソケット１１に光源２０が装着されるものの、他方にソケット１１に光源２０が装着されない、すなわちソケット１１の出力端子１１Ａ、１１Ｂがオープンの状態である場合には、光源回路と、２次側回路１３Ｂと、によって直列回路が構成されない。この結果、一方のソケット１１に装着された光源２０は点灯しない。
【００２１】
そこで、他方のソケット１１には、光源２０の代わりにダミー口金３０を装着する。これにより、短絡端子３１Ａ，３１Ｂ及び短絡回路３２から構成されるダミー口金回路と、２次側回路１３Ｂと、によって直列回路が構成される。このため、照明装置１０は、一方のソケット１１に装着された１つの光源２０をＯＮにすることができる。したがって、照明装置１０は、二段階のＯＮ状態、すなわち、１つの光源２０をＯＮにする状態と、２つの光源２０をＯＮにする状態と、に遷移可能となる。
【００２２】
このような照明装置１０は、照明装置１０に設けられたソケット１１の数に制約されずに、明るさを適宜調節することが容易となる。
【００２３】
なお、筐体１４は、光源２０からの光を反射する反射板１８を有することが好ましい。反射板１８は、ソケット１１に装着された状態の光源２０の周りに配される。
【００２４】
なお、図５に示すように、ダミー口金３０に、光源２０からの光を反射するための反射板３５を設けてもよい。反射板３５は、本体３３に設けられる。
【００２５】
また、上記実施形態では、出力端子１１Ａ、１１Ｂの両者を有するソケット１１を備える照明装置１０について説明したが、本考案はこれに限られない。本考案は、図６に示すように、出力端子４１Ａを有するソケット４１と、出力端子４２Ａを有し、出力端子４２Ａが出力端子４１Ａと正対するように配されるソケット４２と、を備える照明装置４０にも適用可能である。ここで、出力端子４１Ａが出力端子１１Ａ（図２参照）に相当し、出力端子４２Ａが出力端子１１Ｂ（図２参照）に相当する。
【００２６】
この場合には、ダミー口金３０に代えて、ダミー口金５０を用いる。ダミー口金５０は、線状の本体５１と、本体３５の両端に設けられた端子５２Ａ，５２Ｂと、本体３５に収容され短絡端子５２Ａ，５２Ｂ同士を短絡する短絡回路（図示しない）と、を有する。ダミー口金５０の端子５２Ａをソケット４１の出力端子４１Ａに、端子５２Ｂをソケット４２の出力端子４２Ａに、それぞれ装着することにより、照明装置４０に装着された光源２０が点灯する。なお、ダミー口金５０に、図５、７に示す反射板３５を設けてもよい。反射板３５は、照明装置１０に装着された光源２０の光を、外部に向けて反射するものである。反射板３５の端面形状は、図７に示されるように、湾曲していることが好ましい。
【００２７】
尚、本考案の照明装置用のダミー口金は、上記した実施の形態に限定されるものではなく、本考案の要旨を逸脱しない範囲内において種々変更を加え得ることは勿論である。
【符号の説明】
【００２８】
１０    照明装置
１１    ソケット
１１Ａ    出力端子
１１Ｂ    出力端子
１１Ｘ    装着凹部
１２    電源コード
１２Ａ    入力端子
１３    本体回路
１３Ａ    １次側回路
１３Ｂ    ２次側回路
１３ＢＡ  回路
１３ＢＢ  回路
１３ＢＣ  回路
１４    筐体
１８、３５    反射板
２０    光源
３０    ダミー口金
３１Ａ、３１Ｂ  短絡端子
３２    短絡回路
３３    本体
【図１】
0003175908.tif 000003
【図２】
0003175908.tif 000004
【図３】
0003175908.tif 000005
【図４】
0003175908.tif 000006
【図５】
0003175908.tif 000007
【図６】
0003175908.tif 000008
【図７】
0003175908.tif 000009